(57)【特許請求の範囲】
【請求項１】
正電圧が入力されると指数関数的に変化する電圧電流変換特性にしたがって電流に変換して出力すると共に、負電圧が入力されると同特性で電流を引き込む電圧電流指数変換部と、
前記出力電流によって容量素子の充電を行うと共に、前記引き込み電流によって前記容量素子の放電を行う充放電部と、
前記充放電部の出力電圧が上側しきい値を上回ると正の定電圧を出力する一方、この出力電圧が下側しきい値を下回ると負の定電圧を出力するコンパレート部と、      
最小抵抗値から最大抵抗値まで操作によってその抵抗値を変化可能な可変抵抗部と、
この可変抵抗部に接続されて、前記特性の温度補償を行う温度補償部と、を備え、
前記コンパレート部の出力が、前記可変抵抗部を介して前記電圧電流指数変換部の入力となるように構成されていることを特徴とする発振器。
【請求項２】
請求項１に記載の発信器において、
前記容量素子はコンデンサであることを特徴とする発振器。
【請求項３】
請求項１および２の内のいずれか一項に記載の発振器において、
前記電圧電流指数変換部は、
ベースを接地したＰＮＰ型のトランジスタＱ１と、同じくベースを接地したＮＰＮ型のトランジスタＱ２とを含み、両方のトランジスタＱ１、Ｑ２のエミッタ同士、および、両方のトランジスタＱ１、Ｑ２のコレクタ同士を接続して構成されていることを特徴とする発振器。
【請求項４】
請求項２および３の内のいずれか一項に記載の発振器において、
前記充放電部は、
演算増幅器の非反転入力端子が接地されていると共に、反転入力端子には、この演算増幅器の出力がコンデンサＣ１を介して帰還入力されるように構成されていることを特徴とする発振器。
【請求項５】
請求項１、２、３および４の内のいずれか一項に記載の発振器において、
前記コンパレート部は、
第２の演算増幅器の反転入力端子が接地されていると共に、この第２の演算増幅器の出力は抵抗Ｒ３を介して帰還入力されており、更に、前記抵抗Ｒ２の一方の端部が抵抗Ｒ３に接続されて構成されていることを特徴とする発振器。
【請求項６】
請求項１、２、３、４および５の内のいずれか一項に記載の発振器において、
前記温度補償部は、
第１のショットキーバリアダイオードＤ１のアノードと第２のショットキーバリアダイオードＤ２のカソードとを接続する共に、前記第１のショットキーバリアダイオードＤ１のカソードと前記第２のショットキーバリアダイオードＤ２のアノードとを接続して成り、前記第１のショットキーバリアダイオードＤ１のアノードと前記第２のショットキーバリアダイオードＤ２のカソードとの接続点が、前記可変抵抗部の一端に接続されて構成されていることを特徴とする発振器。
【請求項７】
請求項３、４、５および６の内のいずれか一項に記載の発振器において、
前記可変抵抗部と、前記電圧電流指数変換部の前段部に接続する抵抗Ｒ１との間に、抵抗Ｒ４が設けられていることを特徴とする発振器。
【発明の詳細な説明】
【技術分野】
【０００１】
本発明は、三角波信号を発生する発振器の改良に関する。
【背景技術】
【０００２】
発振電圧設定回路を、各回路部にバイアス電流を供給する定電流回路の内部で定電流が流れる経路中に挿入される定電圧発生素子と、この定電圧発生素子の高電位側で確定する所定電圧と、低電位側で確定する所定電圧とを切り換えてコンパレータの比較用基準電圧として出力する切換え回路を含む構成で、より少ない回路素子数で三角波を発振させる回路が提案されていた（例えば、特許文献１参照。）。また、三角波を発振させる回路における、回路を構成する各抵抗値のばらつきによる発振周波数のばらつきを低減すべく、コンデンサの充放電電流を制御回路に設けた電流ミラー回路の電源と接地点との間に接続されたトランジスタと第１の抵抗とからなる基準電流回路の電流に比例した電流値を設定し、発振電圧の上限電圧と下限電圧の差電圧を前記基準電流回路の電流の電流値の変化に対応して変化するように制御し、電流ミラー回路の基準電流回路の第１の抵抗の抵抗値のばらつきがあっても、コンデンサの充放電時間の変化を抑制していた（例えば、特許文献２参照。）。
【０００３】
また、外乱やノイズの影響を抑制する発振周波数範囲が広帯域な電圧制御発振回路（ＶＣＯ）が提案され、このＶＣＯは、入力電圧Ｖｉｎと基準電圧Ｖｒｅｆ１の電位差に比例する電流Ｉ１を出力する（電流利得ｇｍ１）電圧電流変換器と、基準バイアス電流Ｉｒｅｆを出力する基準バイアス電流回路と、電流Ｉｃを出力する制御電流出力回路と、電流Ｉ１と基準バイアス電流Ｉｒｅｆと電流Ｉｃの和である制御電流Ｉｃｎｔに比例する出力発振周波数（ｆｏｕｔ）の発振信号を出力するものであった（例えば、特許文献３参照。）。
【先行技術文献】
【特許文献】
【０００４】
【特許文献１】特開２００９−２３２０５９号公報（第４−６頁、第１図）
【特許文献２】特開平６−２１６７２２号公報（第３−４頁、第１図）
【特許文献３】特許第３５９００２６号公報（第６−７頁、第２図）
【発明の概要】
【発明が解決しようとする課題】
【０００５】
そして、広帯域な三角波信号等の発振を行わせる目的とする回路構成は上記特許文献３で提案はされている。しかしながら、この提案されている回路の構成は複雑であり、コスト高を招くといった問題があった。一般に、三角波信号の周期が２０秒以上にもなるような超低周波数の三角波を発振させるためには、充放電回路のコンデンサの容量を大きくするのが従来の手法であったが、そのため可変抵抗器で連続的に三角波の周波数を変化させる場合には、高周波数側の上限の周波数が低くなってしまうという問題もあった。
【０００６】
本発明は、かかる従来の課題を解決するためになされたもので、簡素な構成で、低周波数から高周波数までの広帯域で、三角波信号を発振可能とすることを目的とする。
【課題を解決するための手段】
【０００７】
上記目的を達成するために、本発明は、正電圧が入力されると指数関数的に変化する電圧電流変換特性にしたがって電流に変換して出力すると共に、負電圧が入力されると同特性で電流を引き込む電圧電流指数変換部（１００）と、
前記出力電流によって容量素子の充電を行うと共に、前記引き込み電流によって前記容量素子の放電を行う充放電部（２００）と、
前記充放電部（２００）の出力電圧が上側しきい値（Ｕ）を上回ると正の定電圧を出力する一方、この出力電圧が下側しきい値（Ｌ）を下回ると負の定電圧を出力するコンパレート部（３００）と、
最小抵抗値から最大抵抗値まで操作によってその抵抗値を変化可能な可変抵抗部（４００）と、
この可変抵抗部（４００）に接続されて、前記特性の温度補償を行う温度補償部（５００）と、を備え、
前記コンパレート部（３００）の出力が、前記可変抵抗部（４００）を介して前記電圧電流指数変換部（１００）の入力となるように構成されていることを特徴とするようにした。
【０００８】
より具体的には、前記電圧電流指数変換部（１００）は、ベースを接地したＰＮＰ型のトランジスタＱ１と、同じくベースを接地したＮＰＮ型のトランジスタＱ２とを含んで成り、両方のトランジスタＱ１、Ｑ２のエミッタ同士、および、両方のトランジスタＱ１、Ｑ２のコレクタ同士を接続して構成することができる。また、充放電部（２００）は、演算増幅器（１０）の非反転入力端子（「＋」）が接地されていると共に、反転入力端子には、この演算増幅器（１０）の出力がコンデンサ（Ｃ１）を介して帰還入力される構成とすれば良い。また、コンパレート部（３００）は、第２の演算増幅器（２０）の反転入力端子（「−」）が接地されていると共に、この第２の演算増幅器２０の出力は抵抗Ｒ３を介して帰還入力されており、更に、抵抗Ｒ２の一方の端部が抵抗Ｒ３に接続されて構成することができる。更に、前記温度補償部（５００）は、第１のショットキーバリアダイオードＤ１のアノードと第２のショットキーバリアダイオードＤ２のカソードとを接続する共に、第１のショットキーバリアダイオードＤ１のカソードと第２のショットキーバリアダイオードＤ２のアノードとを接続して成り、第１のショットキーバリアダイオードＤ１のアノードと第２のショットキーバリアダイオードＤ２のカソードとの接続点が、可変抵抗部（４００）に接続する構成として実現できる。そして、可変抵抗部（４００）と、電圧電流指数変換部（１００）を構成する両方のトランジスタＱ１、Ｑ２のエミッタ同士を接続した接続点と抵抗Ｒ１を接続した間に、抵抗Ｒ４が設けられて、可変抵抗部（４００）の特性をリニアではなく曲線状にして必要な抵抗値を精度良く調整可能にしても好ましい。
【発明の効果】
【０００９】
本発明によれば、簡素な構成で、広帯域で三角波信号を発振可能とすること発振器を実現することが可能になるという効果が得られる。
【図面の簡単な説明】
【００１０】
【図１】発振器１の構成を示すブロック図である。
【図２】三角波信号の発振の様子を示す説明図である。
【図３】具体的な回路の構成図である。
【図４】電圧電流指数変換動作の説明図である。
【図５】動作の説明図である。
【発明を実施するための形態】
【００１１】
以下、本発明を実施の形態について図面を参照しつつ説明する。先ず、図１のブロック構成図を参照して大まかな動作を説明し、次いで具体的な回路構成について説明する。
【００１２】
図１に示すように、発振器１は、電圧電流指数変換部１００と、充放電部２００と、コンパレート部３００とを備え、コンパレート部３００の出力は可変抵抗部４００を介して、電圧電流指数変換部１００へ帰還入力されるように構成されている。また、可変抵抗部４００には温度補償部５００が接続されている。そして、充放電部２００からは三角波の信号である三角波信号が出力され、コンパレート部３００からは矩形波の信号である矩形波信号が出力される。
【００１３】
電圧電流指数変換部１００は、正の電圧が入力されると指数関数的に変化する電圧電流変換特性にしたがって電流に変換して出力すると共に、負の電圧が入力されると同特性で電流を引き込む。また、コンパレート部３００は、充放電部２００の出力電圧が上側しきい値（Ｕ）を上回ると正の定電圧を出力する一方、この出力電圧が下側しきい値（Ｌ）を下回ると負の定電圧を出力する。また、可変抵抗部４００は、例えば、つまみの回転操作によって、その両端の抵抗値が最小抵抗値から最大抵抗値まで変化可能に構成されていて、この可変抵抗器４００によってその抵抗値を変化させることにより、コンパレート部３００から出力される矩形波出力の振幅が最小値から最大値まで変化可能な構成となっている。温度補償部５００は、この可変抵抗部４００に接続されて、電圧電流指数変換部１００の指数関数的に変化する電圧電流変換特性の温度補償を行う。更に、コンパレート部３００の出力は可変抵抗部４００を介して電圧電流指数変換部１００の入力となるように帰還される構成になっている。充放電部２００は、変換電流によって容量素子の充電を行うと共に、前記電流引き込みで前記容量素子の放電を行うように構成されている。
【００１４】
そして、コンパレート部３００が負の定電圧を出力している間は、電圧電流指数変換部１００の指数関数的に変化する電圧電流変換特性での電流引き込みによって、容量素子（Ｃ１）の放電が行われ、充放電部２００の出力電圧を徐々に上げていく。充放電部２００の出力が、上側しきい値（Ｕ）を上回ると、今度は、コンパレート部３００が正の定電圧を出力し、電圧電流指数変換部１００の指数変換特性にしたがって変換された電流により容量素子（Ｃ１）の充電が行われ、充放電部２００の出力電圧を徐々に下げていく。充放電部２００の出力が下側しきい値（Ｌ）を下回ると、今度は再度、容量素子（Ｃ１）の放電が繰り返される。かくして三角波信号が出力されることになる。そして、このコンパレート部３００からの出力は可変抵抗部４００を介して電圧電流指数変換部１００へ入力されるため、指数関数的に変化する電圧電流変換特性で電流に変換されたり、電流を引き込んだりするので三角波信号の周波数可変範囲を広くすることが可能になる。
【００１５】
図２は三角波信号の発振の様子を示す説明図である。図２（ａ）は可変抵抗部４００を操作して矩形波出力振幅を最小にした場合（図１の点ａ参照：可変抵抗部４００の抵抗値を最大）、図２（ｃ）は可変抵抗部４００を操作して矩形波出力振幅を最大にした場合（図１の点ｃ参照：可変抵抗部４００の抵抗値を最小）、図２（ｂ）は、可変抵抗部４００を操作して矩形波出力振幅を最小値と最大値との間の中間値にした場合（図１の点ｂ参照）の三角波の発振の様子の説明図である。図２に示すように可変抵抗部４００の矩形波出力振幅を大きく設定操作する程、コンパレート部３００から電圧電流指数変換部１００に帰還される電圧値が大きくなり、三角波信号の発振周波数が高くなっていることが分かる。
【００１６】
（具体的な回路構成）
図３を参照して具体的な回路構成について説明する。電圧電流指数変換部１００は、ベースを接地したＰＮＰ型のトランジスタＱ１と、同じくベースを接地したＮＰＮ型のトランジスタＱ２とを含んで構成されている。そして、トランジスタＱ１とトランジスタＱ２の両方のエミッタ同士、および、両方のコレクタ同士を接続している。また、トランジスタＱ１およびトランジスタＱ２のエミッタ同士の接続点には抵抗Ｒ１の一方の端部が接続されており、他方の端部は可変抵抗部４００に接続されている。図４は、トランジスタＱ２における「Ｖｂｅ−Ｉｃ特性」の説明図である。Ｖｂｅはベースエミッタ間電圧、Ｉｃはコレクタ電流である。図４においては、Ｖｂｅが「０．２（Ｖ）」から「０．６（Ｖ）」程度の部分（符号Ａで図示した点線部）で、電圧と電流の関係が指数関数的な特性となるため、この部分を用いるように各種の設定が行われている。具体的には「Ｉｃ＝Ｉｓ・（ｅｘｐ（（ｑ・Ｖｂｅ）／（ｋ・Ｔ））−１）」（ｋはボルツマン定数、Ｔは周囲温度、ｑは電子の電荷、Ｉｓはトランジスタの飽和電流値、ｅｘｐは自然対数の底のべき乗を表す）と表現できる特性を電圧電流変換に用いている。なお、図４はＮＰＮ型トランジスタに対応するものであるが、ＰＮＰ型トランジスタに対しては、Ｖｂｅ、Ｉｃが負になるだけで特性自体には変化はない。
【００１７】
充放電部２００は、正の電源電圧「＋Ｖｃ」が供給されると共に負の電源電圧「−Ｖｃ」が供給されている演算増幅器１０を含んで構成されている。つまり、この演算増幅器１０は両電源で動作するようにされている。この演算増幅器１０の非反転入力端子（「＋」）は接地されており、一方、反転入力端子（「−」）には、演算増幅器１０の出力を容量素子としてのコンデンサＣ１を介して帰還入力されている。この演算増幅器１０の出力部からは三角波信号が出力される。
【００１８】
コンパレート部３００も、正の電源電圧「＋Ｖｃ」が供給されると共に、負の電源電圧「−Ｖｃ」が供給されている演算増幅器２０を含んで構成されている。この演算増幅器２０の反転入力端子（「−」）は接地されている。また、演算増幅器２０の出力は抵抗Ｒ３を介して非反転入力端子（「＋」）に帰還入力されていると共に、抵抗Ｒ２の一方の端部が抵抗Ｒ３に接続されている。そして、抵抗Ｒ２の他方の端部は、演算増幅器１０の出力部に接続されている。このコンパレート部３００は、ヒステリシスを有していて、充放電部２００の出力電圧が上側しきい値（Ｕ）を上回ると正の電源電圧（＋Ｖｃ）を出力する一方、この出力電圧が下側しきい値（Ｌ）を下回ると負の電源電圧（−Ｖｃ）を出力する。このように充放電部２００のコンデンサＣ１の出力に応じて、上側しきい値（Ｕ）および下側しきい値（Ｌ）と比較されコンパレート部３００は正の電源電圧を出力したり、負の電源電圧を出力したりする。なお、このヒステリシスの幅、即ち、上側しきい値（Ｕ）と下側しきい値（Ｌ）との幅は、抵抗Ｒ２と抵抗Ｒ３の抵抗値で定まり具体的には、この演算増幅器２０への出力電圧幅をＶｏ（この回路では、２×Ｖｃ）とすると「Ｖｏ×（Ｒ２／（Ｒ２＋Ｒ３））」で両方のしきい値の幅が設定される。なお、０（Ｖ）レベルからの上側しきい値の幅と０（Ｖ）レベルからの下側しきい値の幅とは等しい。
【００１９】
また、この発振器１は、演算増幅器２０の出力を可変抵抗部４００を介して、電圧電流指数変換部１００の抵抗Ｒ１に帰還されるようになっている。この可変抵抗部４００は、例えばつまみの回転操作によってその抵抗値を最小抵抗値から最大抵抗値まで変化可能になっていて、設定操作された抵抗値によって、コンパレート部３００から出力される矩形波出力を分圧するものである。図３においては、この可変抵抗部４００を操作して、可変抵抗部４００の矢印で示す部分が点ａで示す点（最大抵抗値に対応）まで移動させた時に、矩形波の分圧値は最小値となり、また、可変抵抗部４００の矢印で示す部分が点ｃで示す点（最小抵抗値に対応）まで移動させた時に、矩形波出力の分圧値は最大となる。点ｃと点ａとの間に矢印で示す部分を移動させるように操作した場合には、可変抵抗部４００の分圧値は、最大分圧値と最小分圧値との間の分圧値を示す。このように可変抵抗部４００を操作することによって、矩形波出力の分圧値を最小分圧値から最大分圧値まで連続的に変化させることができる。
【００２０】
この発振器１においては、電圧電流指数変換部１００の抵抗Ｒ１と、可変抵抗部４００の矢印で示す可変部と、可変抵抗器４００の端部との間に抵抗Ｒ４が設けられている。この抵抗Ｒ４が無い場合、可変抵抗部４００の抵抗値は、つまみの回転操作量に比例して最小抵抗値から最大抵抗値までリニアに変化する。例えば、つまみの回転操作量に応じて「０（Ω）」から「１０ｋ（Ω）」までリニアに抵抗値が変化する。しかし、これでは例えば「０（Ω）」近辺等の低抵抗部を精度良く調整できないため、抵抗Ｒ４を設けてこの抵抗Ｒ４と可変抵抗部４００の抵抗値との合成抵抗値（並列抵抗）とすれば、この抵抗値を微調整することが可能となる。
【００２１】
そして、この発振器１は温度補償部５００も備えている。この温度補償部５００は、先に説明した電圧電流指数変換部１００における電圧電流の指数関数的特性の温度変化を安定するようにしたものである。より具体的には、ショットキーバリアダイオードＤ１のアノードとショットキーバリアダイオードＤ２のカソードとを接続する共に、ショットキーバリアダイオードＤ１のカソードとショットキーバリアダイオードＤ２のアノードとを接続して成り、ショットキーバリアダイオードＤ１のアノードとショットキーバリアダイオードＤ２のカソードとの接続点が可変抵抗部４００に接続されている。
【００２２】
温度補償の動作は以下のようになる。先ず、抵抗Ｒ１にかかる電圧が正の時について説明する（この時、トランジスタＱ２は逆電圧が印加されているのでＯＦＦである）。トランジスタＱ１、Ｑ２のＶｂｅは約「−２ｍＶ／℃」の温度特性を持つことが知られており、安定な動作をさせるには温度補償が必要となる。例えば、トランジスタＱ１の温度が１０℃上昇したとすると、Ｑ１のＶｂｅは、「−２ｍＶ×１０＝−２０（ｍＶ）」となり約２０（ｍＶ）下がってしまう。トランジスタＱ１のＶｂｅが下がると、Ｑ１のコレクタ電流Ｉｃが増加し発振周波数が上がる。ところが、ショットキーバリアダイオードＤ１のＶｆ（順方向電圧）も同様に約２０（ｍＶ）下がるので抵抗Ｒ１にかかる電圧も約２０（ｍＶ）下がる。つまり、抵抗Ｒ１の両端の電位差は温度が上昇しても一定であり、抵抗Ｒ１を流れる電流も一定となる。したがって、温度が上昇してトランジスタＱ１のＶｂｅが下がっても、Ｑ１のコレクタ電流Ｉｃは一定となる。一方、温度が下降した場合はトランジスタＱ１のＶｂｅは上がるが、ショットキーバリアダイオードＤ１のＶｆも上がる。したがって、抵抗Ｒ１の両端の電位差は一定となり、その結果、抵抗Ｒ１を流れる電流が一定となり、トランジスタＱ１のコレクタ電流Ｉｃは一定となって、電圧電流指数変換部１００の電圧電流変換特性が温度補償される。
【００２３】
次に、抵抗Ｒ１にかかる電圧が負の場合（この時、トランジスタＱ１は逆電圧が印加されるのでＯＦＦである）。同様に、トランジスタＱ２の温度が上昇してＶｂｅが下がるとショットキーバリアダイオードＤ２のＶｆ（順方向電圧）も下がる。つまり、抵抗Ｒ１の両端の電位差は温度が上昇しても一定であり、抵抗Ｒ１を流れる電流も一定となる。したがって、温度が上昇してトランジスタＱ２のＶｂｅが下がっても、トランジスタＱ２のコレクタ電流Ｉｃは一定となる。一方、温度が下降した場合はトランジスタＱ２のＶｂｅは上がるが、ショットキーバリアダイオードＤ２のＶｆも上がる。したがって、抵抗Ｒ１の両端の電位差は一定となり、その結果、抵抗Ｒ１を流れる電流が一定となり、トランジスタＱ２のコレクタ電流Ｉｃは一定となって、電圧電流指数変換部１００の電圧電流変換特性が温度補償される。以上説明したように、トランジスタＱ１、Ｑ２と、ショットキーバリアダイオードＤ１、Ｄ２とは互いに補償し合い、コンデンサＣ１の充放電電流はトランジスタＱ１、Ｑ２の温度変化の影響を受けなくなり、この結果、周囲の温度が発振周波数に影響を及ぼさなくなる。また、本回路では、ショットキーバリアダイオードを使用しているが、その理由は一般のシリコンダイオードのＶｆが約「０．６（Ｖ）」であるのに対して、ショットキーバリアダイオードのＶｆは約「０．２（Ｖ）」で低いため、トランジスタＱ１、Ｑ２のＶｂｅの低電圧領域を積極的に使用するため最適だからである。なお、このダイオードは「Ｉｆ＝Ｉｓ・（ｅｘｐ（（ｑ・Ｖｆ）／（ｋ・Ｔ））−１）」（Ｉｆは順方向電流、Ｖｆは順方向電圧、ｋはボルツマン定数、Ｔは周囲温度、ｑは電子の電荷、Ｉｓはトランジスタの飽和電流値、ｅｘｐは自然対数の底のべき乗を表す）なる特性がある。
【００２４】
（回路動作）
図５を参照して動作を説明する。コンパレータ部３００の演算増幅器２０の出力が負の電源電圧（−Ｖｃ）の場合、この電圧は可変抵抗部４００を介して電圧電流指数変換部１００のＮＰＮ型トランジスタＱ２に印加され、この電圧を指数関数特性にしたがった電流変換した電流の引き込み動作を行う。すると、充放電部２００のコンデンサＣ１に蓄積されていた電荷は徐々にトランジスタＱ２を介して放電されていき、演算増幅器１０の出力電圧は徐々に上昇していくことになる。そして、この放電により演算増幅器１０（コンデンサＣ１）の出力は徐々に上昇していって、上側しきい値（Ｕ）を上回ると演算増幅器２０から正の電源電圧（＋Ｖｃ）が出力される。すると、この電圧はＰＮＰ型トランジスタＱ１によって指数関数的に電流変換されて充放電部２００に流れ込む。この結果、コンデンサＣ１は徐々に充電されて徐々に演算増幅器１０の（コンデンサＣ１）の出力が下降していくことになる。この電圧下降は下側しきい値（Ｌ）を下回るまで行われる。このような動作が繰り返されることにより、演算増幅器１０からは、三角波信号が出力される。そして、演算増幅器２０からの出力は、可変抵抗部４００を介して電圧電流指数変換部１００へ入力されるため、指数関数的に変化する変換特性で電流に変換されることから、コンデンサＣ１の充放電電流を広範囲に可変することができるようになるため、三角波信号の周波数を広範囲に可変することが可能になる。
【００２５】
なお、図３に示す回路において、「Ｒ１＝４．７ｋ（Ω）、Ｒ２＝２２ｋ（Ω）、Ｒ３＝１００ｋ（Ω）、Ｒ４＝１ｋ（Ω）、Ｃ１＝０．０３３（μＦ）、＋Ｖｃ＝２．５（Ｖ）、−Ｖｃ＝−２．５（Ｖ）」として最大抵抗値１０ｋ（Ω）の可変抵抗部４００のつまみを回転操作した結果、「０．０２２（Ｈｚ）〜４．３ｋ（Ｈｚ）」までの三角波信号を出力することができた。以上のように本実施形態によれば、小さな容量のコンデンサを用いた簡素な構成でも低周波数から高周波数までの広帯域での三角波信号の発振が可能となる。なお、Ｒ１、Ｒ２、Ｒ３、Ｃ１等の定数を調整すれば、さらに広帯域での三角波信号の発振も可能となる。なお、以上の実施の形態では演算増幅器１０、演算増幅器２０に対して両電源（＋Ｖｃ、−Ｖｃ）を供給する構成としたが、例えば負の電源電圧（−Ｖｃ）を使用せずに正の電源電圧（＋Ｖｃ）だけを使用した回路構成としたり、逆に、正の電源電圧（−Ｖｃ）を使用せずに負の電源電圧（＋Ｖｃ）だけを使用した回路構成とすることもできる。
【産業上の利用可能性】
【００２６】
以上説明してきたように、三角波信号を必要とする各種の装置、例えば電子楽器等に利用することができる。
【符号の説明】
【００２７】
１  発振器  
１０  演算増幅器
２０  演算増幅器
１００  電圧電流指数変換部
２００  充放電部
３００  コンパレート部
４００  可変抵抗部
５００  温度補償部
【図１】
0005531185.tif 000002
【図２】
0005531185.tif 000003
【図３】
0005531185.tif 000004
【図４】
0005531185.tif 000005
【図５】
0005531185.tif 000006